(57)【要約】【課題】一般に市販されているテープカッター台の使い方は、テープを引き出し目測で長さを決めて切る。この様なテープカッター台では、短い時ならば使えるが、ある程度の長さを必要とした時の繰り返し作業には不向きである。【解決手段】繰り返し前回と同じ長さでテープを切って使うためには、テープが出て行き止めるまでの回転距離を記憶させ、それを次に引き出すテープの長さとして設定し、テープを切る動作に連動して、その回転距離を元の回転前の位置に戻す装置が必要である。この問題は、３個の歯車と１個のゼンマイバネとスタート＆ストップ目標物を組み合わせることで解決できる。またテープの回転許容範囲をコントロールする装置を設置することで、必要とするテープの長さの設定・変更・調整をすることができる。さらに、テープを切る動作に連動している繰り返し機能を切り替えることで、一般のテープカッター台と同じ使い方ができる。【選択図】図１
2009046301.tif 000002
【特許請求の範囲】
【請求項１】
テープカッター台本体内部に、３個の歯車と１個のゼンマイバネを組み合わせ、テープカットの動作に連動させた、繰り返す装置を設置。
【請求項２】
スタート＆ストップ目標物を付けた歯車の回転許容範囲の設定と、変更・調整をする、テープ引き出し長さ回転制御ダイヤルを設置。
【請求項３】
テープカット時の動作に連動する繰り返し機能と、テープフリー回転とを切り替える装置を設置。
【請求項４】
引き出されるテープの長さを安定確保する、テープガイドピンを設置。
【請求項５】
カッターを固定せず上下に移動する、上下スライドカッターを設置。
【発明の詳細な説明】
【技術分野】
【０００１】本発明は、テープカッター台に作業効率を上げるため、機能を持たせたテープカッター台である。
【背景技術】
【０００２】本発明と同じ目的・構造・考え方の文献は見当たらない。
【発明の開示】
【発明が解決しようとする課題】
【０００３】一般に市販されているテープカッター台の使い方は、テープを引き出し目測で長さを決めて切る。この様なテープカッター台では、短い時ならば使えるが、ある程度の長さを必要とした時の繰り返し作業には不向きである。設定した長さでテープを引き出すと止まる、切るの繰り返しができたら、また、必要とする長さを変えることができたら作業効率は格段に向上する。さらに、一般のテープカッター台と同じ使い方もできたら。
【課題を解決するための手段】
【０００４】繰り返し前回と同じ長さでテープを切って使うためには、テープが出ていく時の回転距離を記憶させ、それを次に引き出すテープの長さとして設定し、テープを切る動作に連動して回転距離を元の位置に戻す装置が必要である。この問題は３個の歯車と１個のゼンマイバネを組み合わせることで解決できる。テープは回転しながら引き出される。この回転運動を利用し、テープ回転軸に１個目の歯車を着ける。２個目の歯車にスタート＆ストップ目標物とゼンマイバネを組み込む。３個目の歯車は２個目の歯車の衛星歯車として設置し、上下スライドカッターと連動する可動ステーに設置する。衛星歯車は１個目の歯車に接続したり離れたりする位置に設置する。接続している時はテープの回転によってすべての歯車は連動し、任意のストップ目標物の位置で歯車の回転は止まる。テープカット時の上下スライドカッターの下降動作に連動して、１個目の歯車と接続していた衛星歯車は離れ、２個目の歯車はゼンマイバネによって逆回転し元のスタート位置まで戻る。テープをカットした後、バネによって可動ステーは押し上げられ、衛星歯車は再び１個目の歯車と接続した状態に戻る。この動作によって繰り返えすことがでる。【０００５】テープの長さを設定・変更・調整するテープ引き出し長さ回転制御ダイヤルを設置。これはスタート＆ストップ目標物を付けた２個目の歯車の回転範囲をコントロールする役目で、回転制御ダイヤルを任意の位置でロックすることで、必要とするテープの長さを設定・変更・調整するこができる。【０００６】繰り返す機能の役割をしている１個目の歯車と衛星歯車の動作を、切替える装置を設置することで、テープのフリー回転機能ができ、一般のテープカッター台と同じ使い方となる。【０００７】引き出されるテープの長さを安定させるために、テープカッター台のテープ外周近くに、ガイドピンを付けテープを通すことによって安定した長さを確保すことが出来る。【０００８】可動ステーと連動する位置に、カッターを固定せず、上下にスライド動作する様に設置し、歯車の連動と非連動を繰り返す役目をさせる。
【発明の効果】
【０００９】本発明のテープカッター台の使用効果は、引き出すテープの長さを常に目測で考える事なく、テープカッター台から視線を外して使用しても、長すぎ・短すぎといった不適合が解消され、安心して連続して作業ができるため作業効率が格段に向上した。また歯車の比率を１対２とし、テープ引き出し長さ回転制御ダイヤルを設置したことで、大人が片手で引ける長さ約６０センチぐらいまでの使用に対応できるようになった。また、繰り返し機能を解除すると、一般のテープカッター台と同じ使い方ができ一台二役となった。
【発明を実施するための最良の形態】
【００１０】以下、本発明の実施の形態を図１〜図６に基づいて説明する。【００１１】図１は本発明の実施形態を横から見た全体図である。【００１２】図２は繰り返す機能を設置した図で、テープの回転軸に歯車（１）を付ける。歯車（１５）にゼンマイバネ（１３）とスタート＆ストップ目標物（１８）を組み込む。歯車（１０）は歯車（１５）の衛星歯車として可動ステー（９）に設置する、バネ（７）によって上に押し上げられると歯車（１）と衛星歯車（１０）は接続する状態に、また、下がると離れる位置に設置する。スタート目標物位置決め（１７）を基準に、接続している時はテープの回転によってすべての歯車は連動回転し、歯車（１５）のスタート＆ストップ目標物（１８）によって任意の位置で回転は止まる。テープカット時の上下スライドカッター（６）の下降動作に連動して、歯車（１）と接続していた衛星歯車（１０）は離れ、組み込んだゼンマイバネ（１３）によって歯車（１５）は逆回転し、スタート位置（１７）まで戻る。テープをカットした後、バネ（７）によって可動ステー（９）が上に押し上げられると、衛星歯車（１０）は再び歯車（１）と接続した状態に戻る。これにより繰り返す動作が出来る。【００１３】図３は上から見た図で、テープの長さを設定するための機能で、ストップ目標物（１６）の付いたテープ引き出し長さ回転制御ダイヤル（１２）を設置。スタート目標物位置決め（１７）を基準に、スタート＆ストップ目標物（１８）の付いた歯車（１５）の回転許容範囲をコントロールする。また、テープ引き出し長さ回転制御ダイヤル（１２）を（１１）でロックすることで、必要とするテープの長さを設定・変更・調整をするこができる。【００１４】図４は可動ステー（９）と連動する、上下スライドカッター（６）の下降動作によって、衛星歯車（１０）が、歯車（１）と離れた位置を（８）でロック＆解除する装置を設置することで、テープフリー回転機能ができ、一般のテープカッター台と同じ使い方となる。【００１５】図５は引き出されるテープの長さを安定させるため、テープカッター台（５）のテープ外周近くにテープガイドピン（４）を付け、テープを通すことによって安定した長さを確保することが出来る。【００１６】図６は可動ステー（９）と連動する位置に、上下スライドカッター（６）を設置することで、歯車の連動と非連動を繰り返す役目をさせる。
【図面の簡単な説明】
【００１７】
【図１】  本発明の実施形態を横から見た全体図
【図２】  テープ引き出しの繰り返し機能の装置
【図３】  テープ引き出し長さ回転制御ダイヤルとロックする装置
【図４】  繰り返し機能とテープフリー回転の切り替え装置を設置
【図５】  テープカッター台のテープ外周近くにテープガイドピンを設置
【図６】  カッターを固定せず、上下にスライド動作する様にし、可動ステーに連動する位置に設置
【符号の説明】
【００１８】１    テープ回転軸歯車
２    テープリール
３    テープ本体
４    テープガイドピン
５    テープカッター台本体
６    上下スライドカッター
７    バネ
８    繰り返し機能とテープフリー回転の切り替え装置
９    可動ステー
１０  衛星歯車
１１  テープ引き出し長さ回転制御ダイヤルのロック装置
１２  テープ引き出し長さ回転制御ダイヤル
１３  ゼンマイバネ
１４  ゼンマイバネのケース
１５  ストップ目標物付き歯車
１６  テープ引き出し長さ回転制御ダイヤルのストップ目標物
１７  スタート目標物
１８  歯車のスタート＆ストップ目標物
【図１】
2009046301.tif 000003
【図２】
2009046301.tif 000004
【図３】
2009046301.tif 000005
【図４】
2009046301.tif 000006
【図５】
2009046301.tif 000007
【図６】
2009046301.tif 000008
【手続補正書】
【提出日】平成20年5月21日(2008.5.21)
【手続補正１】
【補正対象書類名】特許請求の範囲
【補正対象項目名】全文
【補正方法】変更
【補正の内容】
【特許請求の範囲】
【請求項１】
３個の歯車と１個のゼンマイバネを組み合わせ、テープカットの動作に連動させた繰り返す装置。
【請求項２】
テープを同じ長さで使う時の円周率の自動修正装置
【請求項３】
テープの長さの設定・変更・調整をする装置。
【請求項４】
繰り返し機能とテープフリー回転の切替え装置
【手続補正２】
【補正対象書類名】明細書
【補正対象項目名】全文
【補正方法】変更
【補正の内容】
【発明の詳細な説明】
【技術分野】
【０００１】本発明は、テープカッター台に作業効率を上げるため、機能を持たせたテープカッター台である。
【背景技術】
【０００２】本発明と同じ目的・構造・考え方の文献は見当たらない。
【発明の開示】
【発明が解決しようとする課題】
【０００３】一般に市販されているテープカッター台は、テープを引き出し目測で長さを決めて切る、この様なテープカッター台では、ある程度の長さを必要とした時の繰り返し作業には不向きである。設定した長さでテープを引き出すと止まる、切るの繰り返しができたら、また必要とする長さを変えることができたら作業効率は格段に向上する。さらに一般のテープカッター台と同じ使い方もできる一台二役のテープカッター台であったら。
【課題を解決するための手段】
【０００４】課題（１）繰り返す機能の設置
テープが出ていく時のテープリールの回転距離を設定し、テープを切る動作に連動して回転距離を戻す装置が必要である。この問題は３個の歯車と１個のゼンマイバネを組み合わせることで解決できる。テープはテープリールを回転させながら引き出される、この回転運動を利用しテープリール回転軸に１個目の歯車を設置し、少し離れた場所に２個目の歯車にスタート＆ストップ目標物となる物を付けその内側にゼンマイバネを組み込む、３個目の歯車は２個目の歯車の衛星歯車とする、１個目の歯車と３個目の歯車が接続したり離れたりできる様に、２個目の歯車を軸とする可動ステーに３個目の歯車を設置する。接続している時はテープを引き出す回転によって、任意のスタート位置からすべての歯車は連動回転し、任意のストップ目標物の位置で回転は止まり、引き出されるテープも止まる。テープをカットするカッター部を可動ステーに接続することで、テープカットの下降動作に連動して、１個目の歯車と接続していた３個目の衛星歯車は離れ、２個目の歯車のゼンマイバネによって逆回転しスタート位置まで戻る。テープをカットした後可動ステーはバネによって元の位置に戻る、この動作によって繰り返えすことがでる。【０００５】課題（２）テープの長さを維持する機能
テープの長さは２個目の歯車の回転距離で決まる、新しいテープ・残り少ないテープとでは円周率が違うため、同じ長さのテープを引き出すと、たとえば（１０ｃｍ・２０ｃｍ・３０ｃｍ・４０ｃｍ・５０ｃｍ）のすべてでスタート位置は常に違ってくる、この問題を解決するには２っの連動する部品を設置することで解決できる。１っ目は２個目の歯車の最大回転距離を測定しスタート＆ストップ目標物がそこで止まる様、並列した位置にストップ目標物を付けた距離設定回転盤を設置する、この距離設定回転盤は任意のテープの長さを設定する役目もする、これで２個目の歯車の回転を止めることが出来る、次に新しいテープ・残り少ないテープ双方の最大回転距離のスタート位置を測定し、その差分を連動調整する部品を設置する、まずテープカッター台のテープ外周近くにガイドピンを設置し、テープ通すことでテープ本体から離れる位置を決定し、出いくテープの長さを安定させる。次にテープリール回転軸は固定せず、テープが少なくなる分移動できる溝を作り、その移動幅をスタート位置の差分として使える（最大距離連動スタート位置部品）を設置することで、円周率の差は無くなり最大テープの長さを維持することができる。２っ目は最大距離以内のスタート位置の設定として、新しいテープ・残り少ないテープ双方の各中間距離のストップ位置からずれてくるスタート位置の差分に対して、距離設定回転盤と連動して調整するスタート位置連動部品、（中間距離連動スタート位置部品）を設置する。この２っの連動スタート位置部品によって常に円周率の差分を調整し同じ長さでテープを引き出すことが出来る。【０００６】課題（３）テープの長さの設定とフリー回転の切替え装置
テープの長さは２個目の歯車の回転距離で決まる、この回転許容範囲をコントロールするストップ目標物を付けた距離設定回転盤を２個目の歯車と並列した位置に設置し、任意の位置でロックすることでテープの長さの設定・変更・調整をし、このロック装置を切り換えた位置を、テープカッター部と接続した可動ステーが下がった位置とすることで、テープはフリー回転となる。またこのロック装置を可動ステーに設置することで、引き出して止まった時のテープのテンションによる歯車の食込みを解消し、楽にカッター部を下降させることが出来る。
【発明の効果】
【０００７】本発明のテープカッター台の使用効果は、同じ長さを何回も必要とした時、引き出すテープの長さを常に目測で気にする事なく視線を外して使用しても、長すぎ・短すぎといった不適合が解消され、安心して連続して作業ができるため作業効率が格段に向上した。また歯車の比率を１対２としたことで大人が片手で引く長さ、約５０センチぐらいまでの使用に対応できるようになった。さらに繰り返し機能を切り替えることで、一般のテープカッター台と同じ使い方がでる一台二役となった。
【発明を実施するための最良の形態】
【０００８】以下、本発明の実施の形態を図１〜図５に基づいて説明する。【０００９】図１は本発明の実施形態を横から見た全体図である。【００１０】図２は繰り返す機能を設置した図で、テープリール回転軸に１個目の歯車（３）を設置する、２個目の歯車（１２）にスタート＆ストップ目標物（１４）とゼンマイバネ（１３）を組み込む、この歯車の回転軸を軸とする可動ステー（９）に３個目の歯車（６）を２個目の歯車（１２）の衛星歯車として設置する。衛星歯車（６）は１個目の歯車（３）に接続したり離れたりする位置に設置し、接続している時はテープを引き出す回転によって、任意のスタート位置からすべての歯車は連動回転し、２個目の歯車（１２）のスタート＆ストップ目標物（１４）が、距離設定回転盤（１１）のストップ目標物（１５）に当たることで回転は止まる。テープをカットするカッター部（１０）を可動ステー（９）に接続し、テープカットの下降動作に連動して、１個目の歯車（３）と接続していた衛星歯車（６）は離れ、２個目の歯車（１２）はゼンマイバネ（１３）によって逆回転しスタート位置まで戻る。可動ステー（９）はバネ（１８）によって元の位置に戻る、この動作によって繰り返えすことがでる。【００１１】図３は設定したテープの長さを維持する機能の図で、２つの連動したスタート位置部品の１つ目で、図Ａは最大テープの長さを維持する機能の全体図である。図Ｂは引き出されるテープの位置としてテープカッター台本体（８）のテープ外周近くにガイドピン（７）を設置し通すことで安定させる図である。次に図Ｃはテープリール回転軸は固定せず、テープカッター台本体（８）にテープ本体（１）が少なくなる分移動できる溝（５）を作る、この回転軸の移動幅を新しいテープ・残り少ないテープと同じ最大回転距離となるスタート位置の差分として設定できる最大距離連動スタート位置部品（４）を設置する図である。これにより円周率の差が無くなり常に最大回転距離を自動で保つことが出来る。【００１２】図４は設定したテープの長さを維持する機能の図で、２つの連動したスタート位置部品の２つ目で、図Ａは最大距離以内の中間の長さを維持する機能の全体図である。図Ｂは上から見た断面図で、２個目の歯車（１２）と同軸の並列した位置に距離設定回転盤（１１）を設置し、そのストップ目標物（１５）によって２個目の歯車（１２）の回転は止まる。図Ｃはこの止まった任意の位置から新しいテープ残り少ないテープ双方のスタート位置の差分をそれぞれ各長さ測定し、そのスタート位置の移動を距離設定回転盤（１１）と連動して動く、中間距離連動スタート位置部品（１６）を設置することで、円周率の差分を調整し同じ長さでテープを引き出すことが出来る。【００１３】図５は引き出されるテープの長さを設定する機能の図で、図Ａはその全体図である。図Ｂは上から見た断面図で、２個目の歯車（１２）の同一軸に並列した位置にストップ目標物を付けた距離設定回転盤（１１）を設置し、任意の位置を（１７）でロックすることでテープの長さの設定・変更・調整をすることができる。このロック装置（１７）は上下スライドカッター（１０）と接続する可動ステーに（９）に設置することで、引き出して止まったテープのテンションによる歯車の食込みを解除してくれる。またこのロック装置（１７）を切り換えた位置を、可動ステー（９）が下がった位置とすることで、テープはフリー回転となる。
【図面の簡単な説明】
【００１４】
【図１】本発明の実施形態を横から見た全体図
【図２】繰り返し機能の装置
【図３】引き出すテープの最大距離を維持させる装置
【図４】引き出すテープの中間距離を維持させる装置
【図５】テープの長さの設定・変更・調整する装置とフリー回転させる切り替え装置
【符号の説明】
【００１５】１    テープ本体
２    テープリール
３    テープ回転軸歯車
４    最大距離連動スタート位置部品
５    回転軸移動溝
６    衛星歯車
７    テープガイドピン
８    テープカッター台本体
９    可動ステー
１０  上下スライドカッター
１１  距離設定回転盤
１２  １３と１４を組込んだ歯車
１３  ゼンマイバネ
１４  歯車１２のスタート＆ストップ目標物
１５  １１のストップ目標物
１６  中間距離連動スタート位置部品
１７  繰り返し設定とフリー回転の切り替え装置
１８  可動ステー押し上げバネ
【手続補正３】
【補正対象書類名】図面
【補正対象項目名】全図
【補正方法】変更
【補正の内容】
【図１】
2009046301.tif 000009
【図２】
2009046301.tif 000010
【図３】
2009046301.tif 000011
【図４】
2009046301.tif 000012
【図５】
2009046301.tif 000013